(57)【要約】【課題】外部からの振動や衝撃等の負荷が加えられても充分に安定して接続時の嵌合状態を維持できるロック機構付きＺＩＦコネクタを提供すること。【解決手段】このソケットコネクタ１では、カム部の回転操作に応じて各ソケットコンタクト４による接続相手の各ピンコンタクトへの接続時の嵌合状態を係止維持するためにベースインシュレータ３側でカム機構に設けられたカム用ロック機構５は、カム部と一体形成されてインシュレータ３側に露呈して配設され、各コンタクト４による接続時の嵌合状態及び非接続時の嵌合解放状態を含む状態推移に対応して回転操作されるカム用ロック操作部５ａと、インシュレータ３の操作部５ａ近傍に配設されたばね溝３ｂ内に配備され、他端部分が固定され、且つ一端部分が撓み可動で操作部５ａの周縁局部に設けられたロック溝に操作部５ａの回転位置に応じて係合係止される板状の係止ばね７とを有している。【選択図】      図１
2004171919.tif 000002
【特許請求の範囲】
【請求項１】
複数のコンタクトを保持したインシュレータにスライド可能にアクチュエータが保持されて構成されると共に、該アクチュエータには操作に供されるカム部を備えたカム機構が配設され、更に、前記カム部の操作により前記アクチュエータがスライドすることで該カム部が前記複数のコンタクトにおける局部の可動部を変位させた状態で該複数のコンタクトが接続相手の複数のコンタクトと接続するＺＩＦ機能を持つコネクタにおいて、前記カム部の操作に応じた前記複数のコンタクトによる前記接続相手の複数のコンタクトへの接続時の嵌合状態を係止維持するためのカム用ロック機構を設けたことを特徴とするロック機構付きＺＩＦコネクタ。
【請求項２】
請求項１記載のロック機構付きＺＩＦコネクタにおいて、前記カム用ロック機構は、前記カム機構における前記カム部と一体的に形成されて前記インシュレータの所定箇所に露呈して配設されると共に、前記複数のコンタクトによる前記接続相手の複数のコンタクトへの接続時の嵌合状態及び非接続時の嵌合解放状態を含む状態推移に対応するように操作されるカム用ロック操作部と、前記インシュレータの前記カム用ロック操作部近傍に配設されたばね溝内に配備されると共に、他端部分が固定され、且つ一端部分が撓み可動で該カム用ロック操作部の周縁局部に設けられたロック溝に該カム用ロック操作部の操作位置に応じて係合係止される板状の係止ばねとを有し、更に、前記カム用ロック操作部は、前記カム部を操作して前記複数のコンタクトによる前記接続相手の複数のコンタクトへの接続嵌合時に連動して一方向へ移動するときに前記係止ばねの前記一端部分が前記ロック溝に係合係止されることで自動的に前記カム機構へのロック機能が働くことを特徴とするロック機構付きＺＩＦコネクタ。
【請求項３】
請求項２記載のロック機構付きＺＩＦコネクタにおいて、前記複数のコンタクトによる前記接続相手の複数のコンタクトへの接続嵌合状態を解放する接続嵌合解放時には、前記係止ばねの前記一端部分を前記ロック溝の壁面方向への付勢方向と反対方向へ押圧して係合係止を解除した状態で前記カム用ロック操作部を前記一方向とは反対の逆方向へ移動して前記カム部を連動させることで該接続嵌合状態を解放するものであることを特徴とするロック機構付きＺＩＦコネクタ。
【請求項４】
請求項３記載のロック機構付きＺＩＦコネクタにおいて、前記カム用ロック操作部は、回転操作されるものであり、前記カム用ロック機構は、前記カム用ロック操作部にあっての表面が略円形であり、且つほぼ径方向に延びて形成された回転操作用に供される帯状溝から垂直な方向に延在して前記ロック溝が設けられて成り、更に、前記カム用ロック操作部は、前記カム部を回転操作して前記複数のコンタクトによる前記接続相手の複数のコンタクトへの接続嵌合時に連動して一方向へ回転するときに前記係止ばねの前記一端部分が前記ロック溝に係合係止されることで自動的に前記カム機構へのロック機能が働き、該複数のコンタクトによる該接続相手の複数のコンタクトへの接続嵌合状態を解放する接続嵌合解放時には、該係止ばねの該一端部分を該ロック溝の壁面方向への付勢方向と反対方向へ押圧して係合係止を解除した状態で前記帯状溝を用いて該カム用ロック操作部を該一方向とは反対の逆方向へ回転操作して前記カム部を回転連動させることで該接続嵌合状態を解放するものであることを特徴とするロック機構付きＺＩＦコネクタ。
【請求項５】
請求項４記載のロック機構付きＺＩＦコネクタにおいて、前記カム用ロック操作部の所定箇所には、操作位置を示す操作位置表示部が設けられ、前記インシュレータの前記カム用ロック操作部近傍には、前記操作位置表示部の回転移動に伴う係止位置並びに係止解放位置を示すロゴ部が設けられたことを特徴とするロック機構付きＺＩＦコネクタ。
【請求項６】
請求項２〜５の何れか一つに記載のロック機構付きＺＩＦコネクタにおいて、前記カム用ロック機構は、前記カム用ロック操作部及び前記係止ばねを含む全体部分が前記インシュレータ表面から突出しないように配備されたことを特徴とするロック機構付きＺＩＦコネクタ。
【請求項７】
請求項１〜６の何れか一つに記載のロック機構付きＺＩＦコネクタにおいて、前記複数のコンタクトは、前記インシュレータへの固定部から第１の接点を含む略へ字形部を経て屈曲した略Ｕ字形状部が連続的に延在し、且つ該略Ｕ字形状部から第２の接点を含む略へ字形部を経て前記カム部に係合する前記可動部が連続的に延在すると共に、該第１の接点及び該第２の接点の間が前記接触接続用の所定のギャップを有して対向して成るもので、更に、前記ＺＩＦ機能として、前記カム部の操作により前記アクチュエータがスライドすることで前記カム部が前記複数のコンタクトにおける前記可動部を変位させることで前記第１の接点及び前記第２の接点の所定のギャップに挿入された前記接続相手の複数のコンタクトを挟圧するものであることを特徴とするロック機構付きＺＩＦコネクタ。
【発明の詳細な説明】
【０００１】
【発明の属する技術分野】
本発明は、主として小さい操作力でコンタクトが接続相手のコンタクトとの間で大きな接触力を生じて接続し得るＺＩＦ（Ｚｅｒｏ  Ｉｎｓｅｒｔｉｏｎ  Ｆｏｒｃｅ）機能を持つコネクタに関し、詳しくは外部からの振動や衝撃等の負荷が加えられても充分に安定して接続時の嵌合状態を維持できるロック機構付きＺＩＦコネクタに関する。
【０００２】
【従来の技術】
従来、この種のＺＩＦコネクタとしては、例えば複数のコンタクトを保持したベースと、相手側コネクタとの位置合わせを行う嵌合部を有するハウジングと、各コンタクトが挿通するアクチュエータとから構成され、位置合わせに際してハウジング及びアクチュエータが一体的になってベースに対して移動することができるようにベースとハウジングとに相互の係合手段を設けると共に、ハウジングの相手側コネクタに対向する側に各コンタクトを整列する溝を設け、スライダの移動操作によりそのカム溝がリンクのピンを押し上げて各リンクを一直線状になるように延伸させるときにアクチュエータがストローク移動することにより、各コンタクトが円滑に相手側コネクタの各コンタクトに接触されて安定した接触力が得られる構成のもの（特許文献１参照）が挙げられる。
【０００３】
又、その他のＺＩＦコネクタとして、電気コネクタが取着される回路基板と類似するか又は同一の熱膨張係数を有する材料を用いて成る基部とカバーとが一体的に取着されると共に、それらの開口部を通って設けられたカムにカムバーを一体的に接続した構造を有し、カムバーが基部の側面を越えて壁に沿ってカム係合可能に軸支移動する際、カムのカム係合面が開口部に対して時計回り方向の力を生成してカバーを基部に沿って摺動することにより、カバーの挿入孔に挿入された接続相手の各ピンコンタクトが移動して基部に支持された各コンタクト（接触子）に接触される構成のソケットコネクタ（特許文献２参照）が挙げられる。
【０００４】
【特許文献１】
特開平８−２０３６２２号公報
【０００５】
【特許文献２】
特開２００２−４３００６号公報
【０００６】
【発明が解決しようとする課題】
上述した何れのＺＩＦコネクタの場合においても、前者のカム溝を有するスライダとピンで軸支されたリンクとから成るカム機構、或いは後者のカムにカムバーを一体的に接続して成るカム機構の働きにより通常の使用状態では各コンタクトによる相手側コネクタの各コンタクトへの接続時にＺＩＦ機能により安定して嵌合状態を維持できるが、それにも拘らずカム機構を係止するためのロック機構を持たないため、嵌合状態後に外部から振動や衝撃等の負荷が加えられるとカム部が逆戻りして開状態となって嵌合状態が解放されることで各コンタクト同士の接触が外れ易かったり、或いは外れる危険を回避できない構造となっており、接続時の嵌合状態を安定して充分に維持できないという問題がある。
【０００７】
本発明は、このような問題点を解決すべくなされたもので、その技術的課題は、外部からの振動や衝撃等の負荷が加えられても接続時の嵌合状態を充分に安定して維持できるロック機構付きＺＩＦコネクタを提供することにある。
【０００８】
【課題を解決するための手段】
本発明によれば、複数のコンタクトを保持したインシュレータにスライド可能にアクチュエータが保持されて構成されると共に、該アクチュエータには操作に供されるカム部を備えたカム機構が配設され、更に、カム部の操作によりアクチュエータがスライドすることで該カム部が複数のコンタクトにおける局部の可動部を変位させた状態で該複数のコンタクトが接続相手の複数のコンタクトと接続するＺＩＦ機能を持つコネクタにおいて、カム部の操作に応じた複数のコンタクトによる接続相手の複数のコンタクトへの接続時の嵌合状態を係止維持するためのカム用ロック機構を設けたロック機構付きＺＩＦコネクタが得られる。
【０００９】
又、本発明によれば、上記ロック機構付きＺＩＦコネクタにおいて、カム用ロック機構は、カム機構におけるカム部と一体的に形成されてインシュレータの所定箇所に露呈して配設されると共に、複数のコンタクトによる接続相手の複数のコンタクトへの接続時の嵌合状態及び非接続時の嵌合解放状態を含む状態推移に対応するように操作されるカム用ロック操作部と、インシュレータのカム用ロック操作部近傍に配設されたばね溝内に配備されると共に、他端部分が固定され、且つ一端部分が撓み可動で該カム用ロック操作部の周縁局部に設けられたロック溝に該カム用ロック操作部の操作位置に応じて係合係止される板状の係止ばねとを有し、更に、カム用ロック操作部は、カム部を操作して複数のコンタクトによる接続相手の複数のコンタクトへの接続嵌合時に連動して一方向へ移動するときに係止ばねの一端部分がロック溝に係合係止されることで自動的にカム機構へのロック機能が働くロック機構付きＺＩＦコネクタが得られる。
【００１０】
更に、本発明によれば、上記ロック機構付きＺＩＦコネクタにおいて、複数のコンタクトによる接続相手の複数のコンタクトへの接続嵌合状態を解放する接続嵌合解放時には、係止ばねの一端部分をロック溝の壁面方向への付勢方向と反対方向へ押圧して係合係止を解除した状態でカム用ロック操作部を一方向とは反対の逆方向へ移動してカム部を連動させることで該接続嵌合状態を解放するロック機構付きＺＩＦコネクタが得られる。
【００１１】
加えて、本発明によれば、上記ロック機構付きＺＩＦコネクタにおいて、カム用ロック操作部は、回転操作されるものであり、カム用ロック機構は、カム用ロック操作部にあっての表面が略円形であり、且つほぼ径方向に延びて形成された回転操作用に供される帯状溝から垂直な方向に延在してロック溝が設けられて成り、更に、カム用ロック操作部は、カム部を回転操作して複数のコンタクトによる接続相手の複数のコンタクトへの接続嵌合時に連動して一方向へ回転するときに係止ばねの一端部分がロック溝に係合係止されることで自動的にカム機構へのロック機能が働き、該複数のコンタクトによる該接続相手の複数のコンタクトへの接続嵌合状態を解放する接続嵌合解放時には、該係止ばねの該一端部分を該ロック溝の壁面方向への付勢方向と反対方向へ押圧して係合係止を解除した状態で帯状溝を用いて該カム用ロック操作部を該一方向とは反対の逆方向へ回転操作してカム部を回転連動させることで該接続嵌合状態を解放するロック機構付きＺＩＦコネクタが得られる。
【００１２】
一方、本発明によれば、上記ロック機構付きＺＩＦコネクタにおいて、カム用ロック操作部の所定箇所には、操作位置を示す操作位置表示部が設けられ、インシュレータのカム用ロック操作部近傍には、操作位置表示部の回転移動に伴う係止位置並びに係止解放位置を示すロゴ部が設けられたロック機構付きＺＩＦコネクタが得られる。
【００１３】
他方、本発明によれば、上記何れか一つのロック機構付きＺＩＦコネクタにおいて、カム用ロック機構は、カム用ロック操作部及び係止ばねを含む全体部分がインシュレータ表面から突出しないように配備されたロック機構付きＺＩＦコネクタが得られる。
【００１４】
上記何れか一つのロック機構付きＺＩＦコネクタにおいて、複数のコンタクトは、インシュレータへの固定部から第１の接点を含む略へ字形部を経て屈曲した略Ｕ字形状部が連続的に延在し、且つ該略Ｕ字形状部から第２の接点を含む略へ字形部を経てカム部に係合する可動部が連続的に延在すると共に、該第１の接点及び該第２の接点の間が接触接続用の所定のギャップを有して対向して成るもので、更に、ＺＩＦ機能として、カム部の操作によりアクチュエータがスライドすることで該カム部が複数のコンタクトにおける可動部を変位させることで第１の接点及び該第２の接点の所定のギャップに挿入された接続相手の複数のコンタクトを挟圧することは好ましい。
【００１５】
【発明の実施の形態】
以下に本発明の実施の形態について、図面を参照して詳細に説明する。図１は、本発明の一つの実施の形態に係るロック機構付きＺＩＦコネクタであるソケットコネクタ１の基本構成を示したもので、同図（ａ）は正面図に関するもの，同図（ｂ）は平面図に関するもの，同図（ｃ）は背面図に関するもの，同図（ｄ）は側面図に関するものである。又、図５は、このソケットコネクタ１の内部構造及び基本機能を説明するために示した図１（ｂ）におけるＣ−Ｃ線方向における断面図であり、同図（ａ）はソケットコネクタ１にピンコネクタを嵌合する前でアクチュエータ８のスライド前の状態に関するもの，同図（ｂ）はソケットコネクタ１にピンコネクタを嵌合した後でアクチュエータ８のスライド後の状態に関するものである。
【００１６】
このソケットコネクタ１は、複数のソケットコンタクト４を保持したフロントインシュレータ２，ベースインシュレータ３にスライド可能にアクチュエータ８が挟み込まれて保持されて構成され、フロントインシュレータ２側には接続相手のピンコネクタにおける複数のピンコンタクトを挿入するためのピンコンタクト挿入穴２ａが列設され、アクチュエータ８には、カム穴８ｂに回転操作に供されるカム部５ｂを配備して成るカム機構が配設され、そのカム機構におけるカム部５ｂの回転操作によりアクチュエータ８が図５（ａ），（ｂ）に示されるようにスライドすることでカム部５ｂが各ソケットコンタクト４における局部の可動部を可動部溝８ａに沿うように変位させることで各ソケットコンタクト４が持つ後述する第１の接点及び第２の接点の間の接触接続用の所定のギャップに挿入された接続相手の各ピンコンタクトを挟圧するＺＩＦ機能を持つ他、カム部５ｂの回転操作に応じて各ソケットコンタクト４による接続相手の各ピンコンタクトへの接続嵌合状態を係止維持するためのカム用ロック機構５が２本の固定ねじ６の間に各ソケットコンタクト４の先端部分を突出露呈させたベースインシュレータ３側に設けられている。尚、ベースインシュレータ３側では、列設された端子穴３ａから各ソケットコンタクト４の先端部分が突出露呈されている。
【００１７】
ここでのアクチュエータ８は、カム機構のカム部５ｂを回転操作することで各ソケットコンタクト４を各ピンコンタクトとの間で接触及び隔離させるためのものであるが、カム部５ｂを回転操作するための操作部の構成は軸部及びそれに結合された回転レバーを設ける等、周知の手段を適用できるので、ここでは詳述しない。又、カム用ロック機構５は、図１（ｃ）に示されるようにカム機構におけるカム部５ｂと一体的に形成されてベースインシュレータ３側の所定箇所に露呈して配設されると共に、各ソケットコンタクト４による接続相手の各ピンコンタクトへの接続時の嵌合状態及び非接続時の嵌合解放状態を含む状態推移に対応して回転操作されるカム用ロック操作部５ａと、ベースインシュレータ３のカム用ロック操作部５ａ近傍に配設されたばね溝３ｂ内に配備されると共に、他端部分が圧入固定（圧着）され、且つ一端部分が撓み可動でカム用ロック操作部５ａの周縁局部に設けられたロック溝にカム用ロック操作部５ａの回転位置に応じて係合係止される板状の係止ばね７とを有しているため、カム機構のカム部５ｂの回転操作で得られる接続及び隔離の基本動作はカム用ロック機構５の動作に依存される。
【００１８】
図６は、上述したソケットコネクタ１に備えられるカム用ロック機構５の細部構成及び操作に応じた機能を説明するために図１（ｃ）における局部を拡大して示した背面図であり、同図（ａ）はオープン状態に関するもの，同図（ｂ）はオープンからロックへ推移する途中状態に関するもの，同図（ｃ）はロック状態に関するもの，同図（ｄ）はロック解除状態に関するものである。又、図７は、このカム用ロック機構５の内部構造を説明するために示したもので、同図（ａ）は図６（ｃ）におけるＡ−Ａ線方向における断面図に関するもの，同図（ｂ）は図６（ｃ）におけるＢ−Ｂ線方向における断面図に関するものである。
【００１９】
図６（ａ）〜（ｄ）を参照すれば、カム用ロック機構５では、カム用ロック操作部５ａにあっての表面が略円形であり、ほぼ径方向に延びて形成された回転操作用に供される帯状溝５ｃから垂直な方向に延在してロック溝５ｄが設けられると共に、それらから離れた位置にオープン溝５ｅが設けられている他、カム用ロック操作部５ａの所定箇所には操作位置を示す操作位置表示部１０が設けられ、ベースインシュレータ３のカム用ロック操作部５ａ近傍には操作位置表示部１０の回転移動に伴う係止位置（ＬＯＣＫ）並びに係止解放位置（ＯＰＥＮ）を示すロゴ部９が設けられ、カム用ロック操作部５ａ及び係止ばね７を含む全体部分がベースインシュレータ３表面から突出しないように配備されている。又、図７  （ａ），（ｂ）を参照すれば、カム用ロック操作部５ａ及びカム部５ｂは、フロントインシュレータ２に設けられたカム軸溝２ｇ及びベースインシュレータ３に設けられたカム穴３ｃの中心を軸として回転移動可能になっている。
【００２０】
このカム用ロック機構５の場合、図６（ａ）に示されるオープン状態（各ソケットコンタクト４による接続相手の各ピンコンタクトへの接続前の嵌合前状態）ではカム用ロック操作部５ａが操作位置表示部１０にあっての係止解放位置（ＯＰＥＮ）で示されるロゴ部９の反時計回り側の端位置にあり、ばね溝３ｂ内の係止ばね７の先端がオープン溝５ｅに係合係止されているため、カム用ロック操作部５ａが反時計回りでの回転を阻止され、時計回り方向に回転可能な状態になっている。
【００２１】
このオープン状態からカム部５ｂを回転操作して各ソケットコンタクト４を接続相手の各ピンコンタクトへ接続嵌合するまでの図６（ｂ）に示される途中状態では、カム用ロック操作部５ａが連動して時計回り方向（一方向）へ回転し、操作位置表示部１０にあっての係止解放位置（ＯＰＥＮ）及び係止位置（ＬＯＣＫ）の間のほぼ中間位置にあり、ばね溝３ｂ内の係止ばね７の先端部分が弾性変形してオープン溝５ｅから係止解放されているため、カム用ロック操作部５ａが反時計回り及び時計回りの双方向に回転可能な状態になっている。
【００２２】
更に、この途中状態からカム部５ｂを回転操作して各ソケットコンタクト４を接続相手の各ピンコンタクトへ接続した図６（ｃ）に示されるロック状態（各ソケットコンタクト４による接続相手の各ピンコンタクトへの接続時の嵌合状態）では、カム用ロック操作部５ａが連動して時計回り方向（一方向）へ回転し、操作位置表示部１０にあっての係止位置（ＬＯＣＫ）で示されるロゴ部９の端位置にあり、ばね溝３ｂ内の係止ばね７の先端（一端部分）がロック溝５ｄに係合係止されるため、カム用ロック操作部５ａが反時計回りに回転阻止される状態になって自動的にカム機構へのロック機能が働く。
【００２３】
そして、このロック状態を解放する図６（ｄ）に示されるロック解除状態（各ソケットコンタクト４による接続相手の各ピンコンタクトへの非接続時の嵌合解放状態）では、係止ばね７の一端部分をロック溝５ｄの壁面方向への付勢方向と反対方向へ押圧して係合係止を解除した状態でマイナスドライバにより帯状溝  （マイナス溝）５ｃを用いてカム用ロック操作部５ａを反時計回り（一方向とは反対の逆方向）へ回転操作して［図示される例では操作位置表示部１０にあっての係止位置（ＬＯＣＫ）で示されるロゴ部９の反時計回り側の端に位置されている］カム部５ｂを回転連動させる。このカム用ロック操作部５ａを反時計回りに回転操作してカム部５ｂを回転連動させて図６（ａ）に示したようにばね溝３ｂ内の係止ばね７の先端（一端部分）をオープン溝５ｅに係合係止させることにより、各ソケットコンタクト４による接続相手の各ピンコンタクトへの接続時の嵌合状態を解放させられるようになっている。
【００２４】
図２は、上述したソケットコネクタ１の接続相手となるピンコネクタ１１の基本構成を示したものであり、同図（ａ）は正面図に関するもの，同図（ｂ）は平面図に関するもの，同図（ｃ）は側面図に関するものである。
【００２５】
このピンコネクタ１１は、ハウジング１２に複数のピンコンタクトが保持されて成るもので、各ピンコンタクトはそれぞれハウジング１２の一面側から突出してプリント基板に接続するためのピン状の端子１３ｂとハウジング１２の他面側から突出して各ソケットコンタクト４との接触に供されるための薄板状のピン１３ａとを有するもので、ピン１３ａの厚さはｔとなっている。
【００２６】
図３は、上述したソケットコネクタ１に備えられる各ソケットコンタクト４の基本構成を示したものであり、同図（ａ）は正面図に関するもの，同図（ｂ）は側面図に関するもの，同図（ｃ）は背面図に関するもの，同図（ｄ）は下面図に関するものである。
【００２７】
このソケットコンタクト４は、フロントインシュレータ２への固定部４ａから第１の接点Ｐを含む略へ字形部を経て屈曲した略Ｕ字形状部４ｃが連続的に延在し、且つその略Ｕ字形状部４ｃから第２の接点Ｐを含む略へ字形部を経てカム部５ｂに係合する可動部４ｅが連続的に延在すると共に、これらの各接点Ｐの間が接触接続用に供される所定のギャップを有して対向して構成される。又、第１，第２の接点Ｐの外側にはそれぞれガイド４ｂ，４ｄが対称形に設けられており、各ガイド４ｂ，４ｄは、各ピンコンタクトのピン１３ａが各ソケットコンタクト４と干渉することに起因して生じる座屈無しに無挿入力で各接点Ｐと接触するようにピン１３ａを各接点Ｐのギャップ内に導入するように働く。これにより、図５（ａ），（ｂ）で説明したように、カム部５ｂの回転操作によりアクチュエータ８がスライドすることでカム部５ｂが各ソケットコンタクト４における局部の可動部４ｅを変位させた状態で各接点Ｐの所定のギャップに挿入された接続相手の各ピンコンタクトを挟圧するＺＩＦ機能が持たされるようになっている。
【００２８】
図４は、上述したソケットコネクタ１にピンコネクタ１１を嵌合する前後の状態を要部を拡大して示した断面図であり、同図（ａ）は嵌合前でアクチュエータ８のスライド前の状態に関するもの，同図（ｂ）は嵌合後でアクチュエータ８のスライド後の状態に関するものである。
【００２９】
図４（ａ）において、ソケットコンタクト４の大部分はフロントインシュレータ２のコンタクト溝２ｃに収納され、固定部４ａの先端及び側面はそれぞれフロントインシュレータ２のストッパ２ｄ，固定壁２ｅに当接しており、可動部４ｅはアクチュエータ８の可動部溝８ａに収納されており、ガイド４ｂ，４ｄはフロントインシュレータ２のガイド溝２ｆに収納されている。ここで各接点Ｐのギャップｇはピン１３ａの厚さｔよりも大きいものとなっている。
【００３０】
ピンコネクタ１１がソケットコネクタ１と接続嵌合する際、図４（ａ）に示されるアクチュエータ８が図４（ｂ）の位置にスライド駆動すると、上述したようにカム用ロック機構５のカム用ロック操作部５ａとカム部５ｂとが連動して時計回りに回転し、ばね溝３ｂに設けられた係止ばね７の一端部分がカム用ロック操作部５ａのロック溝５ｇに係合係止し、カム用ロック操作部５ａ及びカム部５ｂは回転阻止されるが、この状態で各ソケットコンタクト４の可動部４ｅは可動部溝８ａの斜面の角（この部分もカム部として働く）８ｃから力ｆ１を受けてソケットコンタクト４が弾性変形し、このときに固定部４ａの側面は固定壁２ｅから抗力を受け、各接点Ｐがピンコネクタ１１のピン１３ａの両面を挟圧することによってその両面から力ｆ２，ｆ３をそれぞれ受ける。
【００３１】
このように、上述したロック機構付きＺＩＦコネクタでは、各ソケットコンタクト４を固定部４ａから第１の接点Ｐを含む略へ字形部を経て屈曲した略Ｕ字形状部４ｃが連続的に延在し、且つその略Ｕ字形状部４ｃから第２の接点Ｐを含む略へ字形部を経てカム部５ｂに係合する可動部４ｅが連続的に延在する構成としているので、従来と同様に操作力が小さくても充分な変位量を確保することができて接触力が大きくなるため、接触の信頼性が非常に優れたものとなる上、カム機構にカム部５ｂの回転操作に応じて各ソケットコンタクト４による接続相手の各ピンコンタクトへの接続時の嵌合状態を係止維持するためのカム用ロック機構５を設けているため、嵌合状態後に外部からの振動や衝撃等の負荷が加えられても接続時の嵌合状態を充分に安定して維持でき、接触の信頼性が非常に優れたものとなっている。
【００３２】
尚、上述した実施の形態のロック機構付きＺＩＦコネクタでは、カム機構を回転操作するタイプとして説明したが、これに代えてスライド操作させてアクチュエータを操作するように構成しても良い。又、上述したロック機構付きＺＩＦコネクタの場合、各ソケットコンタクト４の形状を工夫して小さな操作力で接触力を大きくできるための構成を開示したが、各ソケットコンタクト４はカム部５ｂの回転操作によりアクチュエータ８がスライドすることでカム部５ｂが各ソケットコンタクト４における局部の可動部４ｅを変位させることで各ソケットコンタクト４の接触接続用に供される所定のギャップｇに挿入された接続相手の各ピンコンタクトを挟圧できるＺＩＦ機能を持たせ得るものであれば、その他の形状であっても適用可能である。
【００３３】
【発明の効果】
以上に述べた通り、本発明のロック機構付きＺＩＦコネクタによれば、カム機構にカム部の操作に応じて各コンタクトによる接続相手の各コンタクトへの接続時の嵌合状態を係止維持するためのカム用ロック機構を設けているために嵌合状態後に外部からの振動や衝撃等の負荷が加えられても接続時の嵌合状態を充分に安定して維持できるようになり、結果として接触の信頼性が非常に優れたものとなる。特にカム用ロック機構の構成として、カム機構におけるカム部と一体的に形成されてインシュレータの所定箇所に露呈して配設されると共に、各コンタクトによる接続相手の各コンタクトへの接続時の嵌合状態及び非接続時の嵌合解放状態を含む状態推移に対応して操作（回転操作）されるカム用ロック操作部と、インシュレータのカム用ロック操作部近傍に配設されたばね溝内に配備されると共に、他端部分が固定され、且つ一端部分が撓み可動でカム用ロック操作部の周縁局部に設けられたロック溝にカム用ロック操作部の操作位置（回転位置）に応じて係合係止される板状の係止ばねとを有するものとしているため、カム部を操作（回転操作）して各コンタクトを接続相手の各コンタクトへ接続する嵌合状態ではカム用ロック操作部が連動して一方向へ移動（回転）するときに係止ばねの一端部分がロック溝に係合係止されることで自動的にカム機構へのロック機能が働く上、各コンタクトの接続相手の各コンタクトとの接続を解放する嵌合解放  （ロック解除）を行うときには、係止ばねの一端部分をロック溝の壁面方向への付勢方向と反対方向へ押圧して係合係止を解除した状態で（カム用ロック操作部に設けられた帯状溝を用いて）カム用ロック操作部を一方向とは反対の逆方向へ移動（回転操作）してカム部を連動（回転連動）させることで各コンタクトによる接続相手の各コンタクトへの嵌合状態を解放する機能が得られることにより、通常使用時にはカム機構におけるカム部を操作（回転操作）して自動的にカム用ロック機構による接続時の嵌合状態の係止維持を図った上、そのカム用ロック機構による嵌合状態の係止維持を解除したいときには特別な工具を用いること無くドライバ等で簡単に解放することができ、大変便利で利用価値の高いものとなっている。
【図面の簡単な説明】
【図１】本発明の一つの実施の形態に係るロック機構付きＺＩＦコネクタであるソケットコネクタの基本構成を示したもので、（ａ）は正面図に関するもの，（ｂ）は平面図に関するもの，（ｃ）は背面図に関するもの，（ｄ）は側面図に関するものである。
【図２】図１（ａ）〜（ｄ）で説明したソケットコネクタの接続相手となるピンコネクタの基本構成を示したものであり、（ａ）は正面図に関するもの，（ｂ）は平面図に関するもの，（ｃ）は側面図に関するものである。
【図３】図１（ａ）〜（ｄ）で説明したソケットコネクタに備えられるソケットコンタクトの基本構成を示したものであり、（ａ）は正面図に関するもの，（ｂ）は側面図に関するもの，（ｃ）は背面図に関するもの，（ｄ）は下面図に関するものである。
【図４】図１（ａ）〜（ｄ）で説明したソケットコネクタに図２（ａ）〜（ｃ）で説明したピンコネクタを嵌合する前後の状態を要部を拡大して示した断面図であり、（ａ）は嵌合前でアクチュエータのスライド前の状態に関するもの，（ｂ）は嵌合後でアクチュエータのスライド後の状態に関するものである。
【図５】図１（ａ）〜（ｄ）で説明したソケットコネクタの内部構造及び基本機能を説明するために示した同図（ｂ）におけるＣ−Ｃ線方向における断面図であり、  （ａ）はソケットコネクタにピンコネクタを嵌合する前でアクチュエータのスライド前の状態に関するもの，（ｂ）はソケットコネクタにピンコネクタを嵌合した後でアクチュエータのスライド後の状態に関するものである。
【図６】図１（ａ）〜（ｄ）で説明したソケットコネクタに備えられるカム用ロック機構の細部構成及び操作に応じた機能を説明するために同図（ｃ）における局部を拡大して示した背面図であり、（ａ）はオープン状態に関するもの，（ｂ）はオープンからロックへ推移する途中状態に関するもの，（ｃ）はロック状態に関するもの，（ｄ）はロック解除状態に関するものである。
【図７】図６（ａ）〜（ｄ）で説明したカム用ロック機構の内部構造を説明するために示したもので、（ａ）は図６（ｃ）におけるＡ−Ａ線方向における断面図に関するもの，（ｂ）は図６（ｃ）におけるＢ−Ｂ線方向における断面図に関するものである。
【符号の説明】
１  ソケットコネクタ
２  フロントインシュレータ
２ａ  ピンコンタクト挿入穴
２ｂ  アクチュエータ溝
２ｃ  コンタクト溝
２ｄ  ストッパ
２ｅ  固定壁
２ｆ  ガイド溝
２ｇ  カム軸溝
３  ベースインシュレータ
３ａ  端子穴
３ｂ  ばね溝
３ｃ  カム穴
４  ソケットコンタクト
４ａ  固定部
４ｂ，４ｄ  ガイド
４ｃ  略Ｕ字形状部
４ｅ  可動部
４ｆ  端子
５  カム用ロック機構
５ａ  カム用ロック操作部
５ｂ  カム部
５ｃ  マイナス溝
５ｄ  ロック溝
５ｅ  オープン溝
６  固定ねじ
７  係止ばね
８  アクチュエータ
８ａ  可動部溝
８ｂ  カム穴
８ｃ  斜面の角
９  ロゴ部
１０  操作位置表示部
１１  ピンコネクタ
１２  ハウジング
１３ａ  ピン
１３ｂ  端子
Ｐ  接点
【図１】
2004171919.tif 000003
【図２】
2004171919.tif 000004
【図３】
2004171919.tif 000005
【図４】
2004171919.tif 000006
【図５】
2004171919.tif 000007
【図６】
2004171919.tif 000008
【図７】
2004171919.tif 000009